(57)【要約】      （修正有）【課題】組立時の作業性を向上することができる揮散器を提供する。【解決手段】容器体１１上部に載置部２４を設け、載置部２４の左右側部にガイド４１を設ける。両ガイド４１間に揮散体４４を載置する。揮散体４４は、容器体１１より芯材で吸い上げられた液状薬剤を含浸して揮散する。載置部２４上に揮散体４４を覆うカバー５１を設け、カバー５１の左右側部に、ガイド４１で案内される支柱部５６を設ける。カバー５１より舌片８１を延出し、両舌片８１間に揮散体４４を配置する。カバー２４を上限位置６５まで上昇した際に、舌片８１が揮散体４４の高さ位置Ｈより低位置Ｌまで延出する長さ寸法に舌片８１を設定する。【選択図】図７
2005178864.tif 000002
【特許請求の範囲】
【請求項１】
容器体に収容された液状薬剤を芯材で吸い上げ、該芯材の上部に配置された板状の揮散体に含浸させて揮散する揮散器において、
前記容器体に、該容器体に取り付けられた載置部と、該載置部に載置された前記揮散体を覆うカバーと、前記載置部に対して前記カバーを所定範囲内で昇降自在に支持する一対の支柱部とを設け、前記カバーに下方へ延出する一対の舌片を設けるとともに、前記両支柱部と前記両舌片とに包囲された内側領域に前記揮散体を配設し、前記両支柱部を結ぶ直線と前記両舌片を結ぶ直線とが交差する位置に前記各支柱部及び前記各舌片を設定する一方、
前記カバーを前記所定範囲内にて上昇した際に、前記各舌片が前記載置部に載置された前記揮散体の高さ位置より低位置まで延出する長さ寸法に前記各舌片を設定したことを特徴とする揮散器。
【発明の詳細な説明】
【技術分野】
【０００１】
本発明は、液状薬剤を揮散させる揮散器に関する。
【背景技術】
【０００２】
従来、トイレや部屋を消臭する際には揮散器としての消臭器が用いられていた（例えば、特許文献１参照。）。
【０００３】
この消臭器は、消臭液などの液状薬剤が収容された容器体を備えており、該容器体の口部には、収容された液状薬剤を吸い上げる芯材が挿入されている。該芯材は、先端部が前記口部より突出した状態に保持されており、前記容器体内の液状薬剤を、当該芯材で吸い上げて揮散できるように構成されている。
【０００４】
この消臭剤では、前記容器体からの前記芯材の突出量によって前記液状薬剤の揮散量が定められており、その揮散量には、自ずと限界があった。
【０００５】
そこで、前記芯材の上部に平板状の揮散体を設けて液状薬剤の揮散量の増大を図る消臭器が知られている（例えば、特許文献２参照。）。
【特許文献１】特開昭６２−０９４１６９号公報
【特許文献２】特開２００１−２６１０８０号公報
【発明の開示】
【発明が解決しようとする課題】
【０００６】
しかしながら、このような消臭器には、平板状の揮散体を固定しなければならず、組立時における作業性の悪化を招いていた。
【０００７】
また、固定時の作業性を考慮した設計が必要となる為、デザインの自由度が低下するという問題もあった。
【０００８】
本発明は、このような従来の課題に鑑みてなされたものであり、組立時の作業性を向上することができる揮散器を提供することを目的とするものである。
【課題を解決するための手段】
【０００９】
前記課題を解決するために本発明の揮散器にあっては、容器体に収容された液状薬剤を芯材で吸い上げ、該芯材の上部に配置された板状の揮散体に含浸させて揮散する揮散器において、前記容器体に、該容器体に取り付けられた載置部と、該載置部に載置された前記揮散体を覆うカバーと、前記載置部に対して前記カバーを所定範囲内で昇降自在に支持する一対の支柱部とを設け、前記カバーに下方へ延出する一対の舌片を設けるとともに、前記両支柱部と前記両舌片とに包囲された内側領域に前記揮散体を配設し、前記両支柱部を結ぶ直線と前記両舌片を結ぶ直線とが交差する位置に前記各支柱部及び前記各舌片を設定する一方、前記カバーを前記所定範囲内にて上昇した際に、前記各舌片が前記載置部に載置された前記揮散体の高さ位置より低位置まで延出する長さ寸法に前記各舌片を設定した。
【００１０】
すなわち、容器体の液状薬剤を、芯材で吸い上げて載置部に載置された揮散体に含浸させることにより、前記液状薬剤を表面積の大きな板状の揮散体から揮散することができる。このとき、載置部の揮散体を覆うカバーを昇降することで、前記載置部と前記カバーとの間隙を可変することができる。これにより、前記液状薬剤の揮散量を調整することができる。
【００１１】
そして、前記カバーには、下方へ延出する一対の舌片が設けられており、前記揮散体は、前記カバーを支持する一対の支柱部と前記一対の舌片とに包囲された内側領域に配設されている。このため、前記揮散体は、前記両支柱部と前記両舌片とによって四方から包囲され、前記載置部からの離脱が防止される。
【００１２】
このとき、前記各舌片は、前記カバーを前記所定範囲内にて上昇させた状態で、前記各舌片が前記載置部に載置された前記揮散体の高さ位置より低位置まで延出する長さ寸法にに設定されている。このため、前記カバーを昇降した際にも、前記揮散体の不用意な離脱が防止される。
【発明の効果】
【００１３】
以上説明したように本発明の揮散器にあっては、揮散量を調整するために揮散体が載置された載置部に対してカバーを上昇した場合であっても、前記揮散体を固定すること無く、該揮散体の前記載置部からの不用意な離脱を防止することができる。
【００１４】
したがって、揮散体を固定しなければならなかった従来と比較して、組立時における作業性を向上することができると共に、揮散体を取り替える際も、カバーを取り外すだけで取り替えることができる。
【００１５】
これにより、固定作業性を考慮した設計が不要となるため、デザインの自由度を高めることができる。
【発明を実施するための最良の形態】
【００１６】
以下、本発明の一実施の形態を図に従って説明する。図１及び図２は、本実施の形態にかかる揮散器１を示す図である。
【００１７】
この揮散器１は、容器体１１を備えており、該容器体１１には、消臭液などの液状薬剤１２が収容されている。なお、他の液状薬剤１２の例としては、芳香液、防臭液、防カビ液等が挙げられる。この容器体１１の上部には、図３に示すように、円筒状の口部１３が設けられており、該口部１３には、使用時に取り外されるキャップ１４が螺着されている。
【００１８】
前記口部１３には、内キャップ２１が内嵌されており、該内キャップ２１の中央部には、棒状の芯材２２が保持されている。該芯材２２は、吸水性を有するフェルトによって形成されており、該芯材２２の下端部は、前記容器体１１の底部に達している。また、この芯材２２の上端部は、前記内キャップ２１を挿通しており、前記口部１３の上端より上方へ延出している。該口部１３の下端部には、鍔部２３が全周に渡って形成されており、該鍔部２３には、当該容器体１１の上部を覆う載置部２４が嵌着されている。
【００１９】
該載置部２４は、前記口部１３に固定された円筒状の固定部３１を備えており、該固定部３１上縁には、図４に示すように、横長形状の載置面３２が前記固定部３１を中心として形成されている。この載置面３２には、複数の連通穴３３，・・・が開設されており、各連通穴３３，・・・によって上部空間と下部空間とが連通されている。この載置面３２の外周縁には、図１及び図２に示したように、前記容器体１１の周面３４に沿って延在する周壁部３５が連接されており、該周壁部３５には、複数の通気口３６，・・・が開設されている。この周壁部３５の上端には、図３に示したように、前記載置面３２より突出する突条３７が載置面３２の周縁に沿って形成されている。
【００２０】
前記載置面３２の左右側部には、図３及び図４に示したように、対を成すガイド４１，４１が設けられている。各ガイド４１，４１は、内側へ向けて開口した開口形状に形成されており、上下方向に延設する長尺状に形成されている。両ガイド４１，４１の中心を結ぶ仮想直線４２は、前記固定部３１の中心４３に位置決めされる前記芯材２２上を通過するように設定されており、両ガイド４１，４１の内側には、矩形状の揮散体４４を載置する載置領域４５が設定されている。
【００２１】
前記揮散体４４は、吸水性を有するフェルトによって所定の肉厚を有する板状に形成されており、当該揮散体４４の中央部には、前記キャップ１４を外した状態で、前記芯材２２が当接するように構成されている。これにより、該芯材２２で吸い上げられた前記液状薬剤１２を前記揮散体４４に含浸させるとともに、当該揮散体４４より気化して揮散できるように構成されている。
【００２２】
前記載置部２４上には、図１及び図２に示したように、載置された前記揮散体４４を覆うカバー５１が設けられている。該カバー５１は、下方に開口した容器状に形成されており、前後面５２，５３及び天面５４には、通気穴５５，・・・が開設されている。このカバー５１の左右側部には、図５にも示すように、下方へ延出する一対の支柱部５６，５６が設けられている。
【００２３】
各支柱部５６，５６は、図４及び図５に示すように、前記載置部２４の各ガイド４１，４１に挿入された状態で案内されるように構成されており、各ガイド４１，４１に適合した断面形状に形成されている。すなわち、各支柱部５６，５６には、前記ガイド４１のガイド溝６１に挿入されるガイドレール６２が形成されており、前記カバー５１を各ガイド４１，４１に沿って上下動できるように構成されている。また、各支柱部５６には、前記ガイド４１の幅広溝６３に挿入される幅広部６４が形成されており、該幅広部６４の下端には、図６から図７に示すように、前記カバー５１を上限位置６５まで上昇した際に、前記幅広溝６３の内側面より延出した突片６６に下方から当接するストッパ６７が設けられている。これにより、前記載置部２４に対する前記カバー５１の昇降範囲を所定の範囲内に規制できるように構成されている。
【００２４】
この幅広部６４には、前記突片６６に摺接する一対の突条７１，７１が設けられており、前記突片６６，６６に対向した各突条７１，７１の対向面には、上下に等間隔をおいた四箇所に凸部７２，・・・が設けられている。これにより、各凸部７２，・・・が前記突片６６を乗り越えた各状態で、前記カバー５１の高さ位置を位置決めできるように構成されており、各状態を形成することで、前記揮散体４４が載置された前記載置部２４と前記カバー５１間の間隙の広さを可変できるように構成されている。
【００２５】
前記カバー５１の前面５２及び後面５３からは、図５にも示したように、矩形状の舌片８１，８１が下方へ向けて延出している。各舌片８１，８１の下縁には、図６にも示すように、側方へ突出するフック８２が設けられており、前記舌片８１に対応した前記載置部２４の部位には、前記カバー５１を下限位置８３まで下降して前記載置部２４上面を閉鎖した状態で、前記フック８２と係合する係合部８４が設けられている。
【００２６】
また、図４に示したように、前記両舌片８１，８１の中心を結ぶ仮想直線９１は、前記載置部２４の固定部３１の中心４３に位置決めされる前記芯材２２上を通過するように設定されており、両舌片８１，８１の内側に、前記揮散体４４が載置されている。これにより、この両舌片８１，８１を結ぶ仮想直線９１と、前記両支柱部５６，５６を結ぶ仮想直線４２とが、前記芯材２２上で直交するように構成されており、前記両支柱部５６，５６と前記両舌片８１，８１とに包囲された内側領域に前記揮散体４４を載置する前記載置領域４５が設定されている。
【００２７】
そして、前記各舌片８１，８１は、図７に示したように、前記カバー２４を前記上限位置６５まで上昇した際に、前記各舌片８１，８１が前記載置部２４に載置された前記揮散体４４の高さ位置Ｈより低位置Ｌまで延出する長さ寸法に設定されており、前記揮散体４４の前後方向への離脱を防止できるように構成されている。
【００２８】
以上の構成にかかる本実施の形態において、容器体１１の液状薬剤１２を芯材２２で吸い上げ、載置部２４に載置された揮散体４４に含浸させることによって、前記液状薬剤１２を表面積の大きな板状の揮散体４４から揮散することができる。
【００２９】
このとき、前記載置部２４の揮散体４４を覆うカバー５１を昇降することで、前記載置部２４と前記カバー５１との間隙を可変することができる。これにより、前記液状薬剤１２の揮散量を調整することができる。
【００３０】
そして、前記カバー５１には、下方へ延出する一対の舌片８１，８１が設けられており、前記揮散体４４は、前記カバー５１を支持する一対の支柱部５６，５６と一対の前記舌片８１，８１とに包囲された内側領域に配設されている。このため、前記揮散体４４は、前記両支柱部５６，５６と前記両舌片８１，８１とによって四方から包囲され、前記載置部２４からの離脱が防止される。
【００３１】
このとき、前記各舌片８１，８１は、前記カバー５１を上限位置６５まで上昇させた状態で、前記各舌片８１，８１が前記載置部２４に載置された前記揮散体４４の高さ位置Ｈより低位置Ｌまで延出する長さ寸法に設定されている。このため、揮散量を調整するために前記カバー５１を上昇した場合であっても、前記揮散体４４を固定すること無く、該揮散体４４の前記載置部２４からの不用意な離脱を防止することができる。
【００３２】
したがって、揮散体を固定しなければならなかった従来と比較して、組立時における作業性を向上することができる。
【００３３】
これにより、固定作業性を考慮した設計が不要となるため、デザインの自由度を高めることができる。
【００３４】
また、液状薬剤１２を詰め替えて使用するなど、揮散体４４の取り替えが必要な場合でも、使用者は、カバー５１を外すだけで、使用済みの揮散体４４を新たな揮散体４４に取り替えることができるので、揮散体４４が固定されていた従来品と比較して、簡単な作業で揮散体４４の取り替えができる。
【００３５】
なお、本実施の形態にあっては、揮散体４４が載置される載置部２４の周縁に上方へ突出する突条３７を形成し、前記揮散体４４の離脱をより確実に防止する構成を示したが、この突条３７を形成しない場合であっても、前記両支柱部５６，５６と前記両舌片８１，８１とによって揮散体４４の離脱を確実に防止することができる。
【図面の簡単な説明】
【００３６】
【図１】本発明の一実施の形態を示す正面図である。
【図２】同実施の形態の側面図である。
【図３】同実施の形態の要部の縦断面図である。
【図４】同実施の形態の要部の水平断面図である。
【図５】同実施の形態のカバーを示す図である。
【図６】同実施の形態のカバーを下限位置へ移動した状態を示す要部の断面図である。
【図７】同実施の形態のカバーを上限位置へ移動した状態を示す要部の断面図である。
【符号の説明】
【００３７】
１    揮散器
１１    容器体
１２    液状薬剤
２２    芯材
２４    載置部
４４    揮散体
５１    カバー
５６    支柱部
【図１】
2005178864.tif 000003
【図２】
2005178864.tif 000004
【図３】
2005178864.tif 000005
【図４】
2005178864.tif 000006
【図５】
2005178864.tif 000007
【図６】
2005178864.tif 000008
【図７】
2005178864.tif 000009